(57)【要約】【課題】磁器タイルを揺動させることにより、装飾の効果を向上した磁器タイル付装飾品を提供する。【解決手段】イヤリング１は、直径１．５ｍｍ以内の貫通孔１２が加工された磁器タイル１１を有するタイル部１０と、前記タイル部１０の貫通孔１２に挿通された軸体２１と、軸体２１を介してタイル部１０を人体に装着する装着部２２とを備える。【選択図】図１
0003199251.tif 000002
【実用新案登録請求の範囲】
【請求項１】
貫通孔が加工された磁器タイルを有するタイル部と、
前記タイル部の前記貫通孔に挿通された軸体と、
前記軸体に接続され、前記軸体を介して前記タイル部を被着体に装着する装着部と、
を備える磁器タイル付装飾品。
【請求項２】
請求項１に記載の磁器タイル付装飾品において、
前記磁器タイルの前記貫通孔は、直径１．５ｍｍ以内であること、
を特徴とする磁器タイル付装飾品。
【請求項３】
請求項１又は請求項２に記載の磁器タイル付装飾品において、
前記タイル部は、
表面側が化粧面であり、
裏面側に樹脂層を備えること、
を特徴とする磁器タイル付装飾品。
【請求項４】
請求項１から請求項３のいずれかに記載の磁器タイル付装飾品において、
前記タイル部の外形は、方形であり、
前記貫通孔は、前記タイル部のコーナ部に設けられ、
前記タイル部は、前記装着部によって被着体に装着された状態で、前記コーナ部側を上側としかつ前記コーナ部とは反対側を下側として、前記軸体回りに揺動すること、
を特徴とする磁器タイル付装飾品。
【考案の詳細な説明】
【技術分野】
【０００１】
本考案は、磁器タイルを備える磁器タイル付装飾品に関するものである。
【背景技術】
【０００２】
従来、建材として用いる磁器タイルを流用した指輪等の装飾品があった（例えば非特許文献１）。
しかし、従来の装飾品は、磁器タイルが接着剤等によって金具に取り付けられていた。このため、磁器タイルは、金具に対して揺動しないために、装飾の効果が十分ではなかった。
【先行技術文献】
【非特許文献】
【０００３】
【非特許文献１】タイルの指輪  ｉｉｃｈｉ（いいち）  ハンドメイド・クラフト・手仕事品の販売・購入，［ｏｎｌｉｎｅ］，［２０１５年５月１８日検索］，＜ＵＲＬ，ｈｔｔｐ：／／ｗｗｗ．ｉｉｃｈｉ．ｃｏｍ／ｌｉｓｔｉｎｇ／ｉｔｅｍ／１４６７７１＞
【考案の概要】
【考案が解決しようとする課題】
【０００４】
本考案の課題は、磁器タイルを揺動させることにより、装飾の効果を向上した磁器タイル付装飾品を提供することである。
【課題を解決するための手段】
【０００５】
本考案は、以下のような解決手段により、課題を解決する。なお、理解を容易にするために、本考案の実施形態に対応する符号を付して説明するが、これに限定されるものではない。また、符号を付して説明した構成は、適宜改良してもよく、また、少なくとも一部を他の構成物に代替してもよい。
【０００６】
・第１の考案は、貫通孔（１２）が加工された磁器タイル（１１）を有するタイル部（１０）と、前記タイル部の前記貫通孔に挿通された軸体（２１）と、前記軸体に接続され、前記軸体を介して前記タイル部を被着体に装着する装着部（２２）と、を備える磁器タイル付装飾品である。
・第２の考案は、第１の考案の磁器タイル付装飾品において、前記磁器タイルの前記貫通孔（１２）は、直径１．５ｍｍ以内であること、を特徴とする磁器タイル付装飾品である。
・第３の考案は、第１又は第２の考案の磁器タイル付装飾品において、前記タイル部（１０）は、表面（１１ａ）側が化粧面であり、裏面（１１ｂ）側に樹脂層（１３）を備えること、を特徴とする磁器タイル付装飾品である。
・第４の考案は、第１から第３の考案のいずれかの磁器タイル付装飾品において、前記タイル部（１０）の外形は、方形であり、前記貫通孔（１２）は、前記タイル部のコーナ部（１１ｃ）に設けられ、前記タイル部は、前記装着部（２２）によって被着体に装着された状態で、前記コーナ部側を上側としかつ前記コーナ部とは反対側（１１ｄ）を下側として、前記軸体（２１）回りに揺動すること、を特徴とする磁器タイル付装飾品である。
【考案の効果】
【０００７】
本考案によれば、磁器タイルを揺動させることにより、装飾の効果を向上した磁器タイル付装飾品を提供できる。
【図面の簡単な説明】
【０００８】
【図１】実施形態のイヤリング１を示す図である。
【図２】実施形態のイヤリング１の製造方法を説明する断面図である。
【考案を実施するための形態】
【０００９】
（実施形態）
以下、図面等を参照して、本考案の実施形態について説明する。
図１は、実施形態のイヤリング１を示す図である。
図１（Ａ）は、イヤリング１を、タイル部１０の表面１１ａ側から見た図である。
図１（Ｂ）は、図１（Ａ）のＢ−Ｂ部断面図である。
図１には、説明と理解を容易にするために、ＸＹＺ直交座標系を設けた。この座標系は、イヤリング１を人体（被着体）に装着時の態様を示すものであり、厚さ方向Ｘ（人体の左右方向）、奥行方向Ｙ（人体の前後方向）、鉛直方向Ｚ（下側Ｚ１、上側Ｚ２）を表す。奥行方向Ｙ、厚さ方向Ｘは、水平方向である。
イヤリング１（磁器タイル付装飾品）は、耳飾りである。つまり、イヤリング１は、人体の耳たぶに開けられた穴を利用して、人体に装着される装飾品である。イヤリング１は、いわゆるピアスとも称される一種である。
なお、イヤリング１を装着した状態では、実際には、重力の作用によって厚さ方向Ｘに傾きが生じる（図１（Ｂ）の傾き方向θ１参照）。図１は、イヤリング１の構造を明確に説明するために、便宜上、この傾きが生じない状態を示した。
【００１０】
［イヤリング１の構成］
イヤリング１は、タイル部１０、装着金具２０を備える。
タイル部１０は、磁器タイル１１、貫通孔１２、樹脂層１３を備える。
磁器タイル１１は、陶磁器製のタイルの一種である磁器質タイルである。磁器タイル１１は、建材用の磁器タイルの端材等を流用できる。この場合には、磁器タイル１１は、低コストで入手できる。
【００１１】
磁器タイル１１の外形は、直方体である。図１（Ａ）に示すように、厚さ方向Ｘから見ると、磁器タイル１１の外形は、１辺が例えば１０ｍｍ程度の正方形である。磁器タイル１１の厚さは、例えば３ｍｍ程度である。
磁器タイル１１の表面１１ａは、図１（Ｂ）の左側Ｘ１の面であり、裏面１１ｂは、右側Ｘ２の面である。
磁器タイル１１を建材として利用する場合において、表面１１ａは、表側（つまり化粧面側）となる面であり、一方は、裏面１１ｂは、壁等に接着される側の面である。磁器タイル１１の焼成は、色彩等の着色、強度増のために、表面１１ａに釉薬（うわぐすり）をかけた状態で行われる。
【００１２】
貫通孔１２は、磁器タイル１１と樹脂層１３とを、厚さ方向Ｘに貫通している。
図１（Ａ）に示すように、厚さ方向Ｘから見た状態で、貫通孔１２は、上側Ｚ２のコーナ部１１ｃ（上側Ｚ２の頂点の内縁部分）に設けられている。後述するように、貫通孔１２は、直径１ｍｍのビット５１を用いて形成できる。このため、貫通孔１２は、直径１．５ｍｍ以内に形成できる。
【００１３】
樹脂層１３は、磁器タイル１１の裏面１１ｂに積層されている。
樹脂層１３は、磁器タイル１１の裏面１１ｂに、例えばアクリル等の合成樹脂系の塗料を塗布することより、形成される。樹脂層１３の厚さは、例えば２ｍｍ程度以内である。
【００１４】
装着金具２０は、タイル部１０を人体の耳たぶに装着する部材である。
装着金具２０は、軸体２１、装着部２２を備える。
軸体２１は、タイル部１０の貫通孔１２に挿通される部材である。軸体２１は、例えば真鍮線等を加工して作製できる。軸体２１の直径は、１ｍｍ以下（例えば０．８ｍｍ程度）である。
軸体２１の先端部分（タイル部１０側の部分）は、フランジ２１ａが形成されている。このため、タイル部１０は、軸体２１から脱落することはない。このフランジ２１ａの部分には、宝石、ガラス等の装飾品２１ｃを接着等によって固定してもよい。
軸体２１の後端部分（装着部２２側の部分）は、環２１ｂが形成されている。
【００１５】
装着部２２は、軸体２１と同様に、例えば真鍮線等を加工して作製できる。
装着部２２の先端部分（軸体２１側の部分）は、軸体２１の環２１ｂに繋げる環２２ａが形成されている。これにより、装着部２２は、軸体２１に接続される。
装着部２２の後端部分（上側Ｚ２の部分）は、曲げ戻すような形状のＵ字部２２ｂが形成されている。Ｕ字部２２ｂは、耳たぶに開けられた穴に引っ掛けられる。これにより、装着部２２は、軸体２１を介してタイル部１０を耳たぶに装着できる。
【００１６】
［装着状態］
イヤリング１を耳たぶに装着した状態では、タイル部１０は、耳たぶから垂れ下がる。
軸体２１の外周と、タイル部１０の貫通孔１２の内壁との間には、隙間を有する。このため、図１（Ａ）に示すように、タイル部１０は、軸体２１に支持された状態では、重力の作用によって、コーナ部１１ｃ側が上側Ｚ２になり、かつ、コーナ部１１ｃとは反対側１１ｄが下側Ｚ１になる。また、タイル部１０は、人体の動きに応じて揺れる場合には、軸体２１回りの揺動をともなう（図１（Ａ）の揺動方向θ２参照）。これにより、タイル部１０の揺れは、複雑な動きになるので、イヤリング１は、装飾の効果を向上できる。
また、タイル部１０の裏面には、樹脂層１３が設けられているので、裏面が人体に触れる場合でも、ザラついた感触が少ない。
なお、イヤリング１は、装飾の効果をより向上するために、タイル部１０以外の装飾品を、軸体２１の環２１ｂ、装着部２２の環２２ａ等に、取り付けてもよい。
【００１７】
［製造方法］
イヤリング１の製造方法について説明する。
図２は、実施形態のイヤリング１の製造方法を説明する断面図である。
（タイル部１０の貫通孔１２の加工）
タイル部１０の磁器タイル１１の加工は、磁器タイル１１をバイス等で保持すると作業性がよい。
加工には、以下のルータ（リュータ）５０、ビット５１を用いた。
ルータ５０：有限会社プロクソンジャパン  ミニルーターＭＭ１００
ビット５１：有限会社プロクソンジャパン  ダイヤモンドビットφ１ｍｍ
なお、刃物は、上記ビット５１以外に、「株式会社ミツトモ製作所  ＲＥＬＩＦＥ  ダイヤモンドドリル  直径１．０ｍｍ」を利用しても、加工可能であることを確認した。
作業者は、以下の工程に従って、磁器タイル１１に貫通孔１２を加工できる。以下の工程では、磁器タイル１１の裏面１１ｂ側から加工する例を示すが、表面１１ａ側から加工してもよい。
（１）図２（Ａ）に示すように、磁器タイル１１の裏面１１ｂのうち貫通孔１２を形成する部分に、冷却水として、水滴５３を垂らす。
（２）図２（Ａ）、図２（Ｂ）に示すように、ビット５１をルータ５０に取り付けて、磁器タイル１１の裏面１１ｂ側から加工をする。
この場合、必要に応じて、ビット５１を傾けてもよい（傾き方向θ３参照）。また、水滴５３が不足したら、水滴５３を補充してもよい。
この工程は、十分な時間（例えば５分程度）をかける。
【００１８】
（３）図２（Ｂ）に示すように、孔が厚さの半分程度まで加工できたら、図２（Ｃ）に示すように、磁器タイル１１を裏返す。
（４）図２（Ｃ）、図２（Ｄ）に示すように、磁器タイル１１の表面１１ａのうち貫通孔１２を形成する部分（つまり、裏面１１ｂの加工部分に対応した部分）に、冷却水として、水滴５３を垂らす。そして、上記（１）、（２）と同様に、磁器タイル１１の表面１１ａ側から加工をする。
（５）図２（Ｄ）に示すように、貫通孔１２が貫通したら、貫通孔１２からビット５１を抜く。
【００１９】
これにより、磁器タイル１１に、φ１ｍｍのビットを用いることにより、１．５ｍｍ以下（より正確には１．０ｍｍ以上１．５ｍｍ以下）の貫通孔１２を加工することができる。
上記（１）〜（５）の工程は、十分な時間（例えば１０分程度）をかける。これにより、磁器タイル１１の割れを抑制できる。
このように、従来から微細な孔開け加工が困難とされてきた陶磁器製のタイルに、直径が小さい貫通孔１２を、タイルの端部から短距離に、加工できることを確認できた。
試作では、１ｍｍのビット５１を用いることにより、貫通孔１２の直径は、１．２ｍｍ程度に形成できた。また、磁器タイル１１の外形が１辺１０ｍｍ程度の小さい正方形であっても、端部から貫通孔１２までの距離Ｌ（図２（Ｄ）参照）が２ｍｍ程度以上であれば、磁器タイル１１は、割れなかった。
【００２０】
（樹脂層１３の積層）
（６）図２（Ｅ）に示すように、磁器タイル１１の貫通孔１２にピン５４を通す。ピン５４の直径は、貫通孔１２の直径と同等である。
（７）図２（Ｆ）に示すように、磁器タイル１１の裏面に樹脂を塗布することにより、樹脂層１３を形成する。
（８）図２（Ｇ）に示すように、樹脂が乾燥したら、ピン５４を貫通孔１２から抜く。
これにより、貫通孔１２を塞ぐことなく、かつ、貫通孔１２を、磁器タイル１１及び樹脂層１３を連通するように形成できる。
【００２１】
（装着金具２０の取り付け）
（９）図２（Ｈ）に示すように、装着金具２０の曲げ加工前の状態の軸体２１を、磁器タイル１１の貫通孔１２に挿通する。挿通後には、軸体２１を曲げ加工することにより、環２１ｂ（図１参照）を作製し、軸体２１を装着部２２の環２１ｂに接続する。
以上により、イヤリング１を製造できる。
【００２２】
以上説明したように、実施形態のイヤリング１は、陶磁器製のタイルに貫通孔１２を加工することにより、耳たぶに装着時において、磁器タイル１１が揺動する。これにより、イヤリング１は、装飾の効果を向上できる。
【００２３】
以上、本考案の実施形態について説明したが、本考案は前述した実施形態に限定されるものではなく、例えば、後述する変形形態等のように種々の変形や変更が可能であって、それらも本考案の技術的範囲内である。また、実施形態に記載した効果は、本考案から生じる最も好適な効果を列挙したに過ぎず、本考案による効果は、実施形態に記載したものに限定されない。なお、前述した実施形態及び後述する変形形態は、適宜組み合わせて用いることもできるが、詳細な説明は省略する。
【００２４】
（変形形態）
（１）実施形態において、貫通孔は、タイル部のコーナ部に設けられた例を示したが、これに限定されない。貫通孔は、タイル部の任意の位置に設けてもよい。この場合でも、貫通孔を軸体よりも大きくすることにより、タイル部が軸体回りに揺動するので、装飾の効果を向上できる。
（２）実施形態において、磁器タイル付装飾品は、イヤリングである例を示したが、これに限定されない。磁器タイル付装飾品は、どのような種別であってもよい。磁器タイル付装飾品は、例えば、指輪、ネックレス、ブローチ等でもよい。
また、被着体は、人体に限定されない。被着体は、例えば、家具、照明等のインテリア等でもよい。この場合にも、磁器タイル付装飾品は、タイル部が軸体回りに揺動するので、インテリア等を効果的に装飾できる。
（３）実施形態において、タイル部は、樹脂層を備える例を示したが、これに限定されない。タイル部は、樹脂層を備えていなくてもよい。
（４）実施形態において、タイル部の外形は、正方形である例を示したが、これに限定されない。タイル部の外形は、例えば、方形（正方形又は長方形）、多角形、円形等から適宜選択できる。
（５）実施形態において、軸体、装着部は、別部材である例を示したが、これに限定されない。軸体、装着部は、例えば、１つの真鍮線等が加工された一体的の構造でもよい。
【符号の説明】
【００２５】
１…イヤリング
１０…タイル部
１１…磁器タイル
１１ａ…表面
１１ｂ…裏面
１１ｃ…コーナ部
１２…貫通孔
１３…樹脂層
２１…軸体
２２…装着部
【図１】
0003199251.tif 000003
【図２】
0003199251.tif 000004